(57)【要約】  【課題】  ブラインドの高級感を損なうことなく、意匠性に優れた商品等表示を行うことができるブラインド用表示タグ及びそのブラインド用表示タグを用いたブラインドを提供する。  【解決手段】  ブラインド用表示タグ３０は、ボトムレール２０のようなブラインド部品に取り付けられて、製造者名、製品名、商標等の商品等表示を表示するものであって、商品等表示３０ａが付された１枚のシート状素材が折り返されたものからなり、折り返し側と反対側の取付端部３０ｂがボトムレール２０のようなブラインド部品の所望の位置に固定される。【選択図】  図４
2005156689.tif 000002
【特許請求の範囲】
【請求項１】
ブラインドのレール材または操作部等のブラインド部品に取り付けられて、製造者名、商品名、商標等の商品等表示を表示するブラインド用表示タグであって、
商品等表示(３０ａ)が付された１枚のシート状素材が折り返されたものからなり、折り返し側と反対側の端部（３０ｂ）が前記ブラインド部品（２０）の所望の位置に固定可能となったブラインド用表示タグ。
【請求項２】
請求項１記載の前記ブラインド用表示タグ（３０）が取り付けられたブラインド。
【請求項３】
製造者名、商品名、商標等の商品等表示を表示するブラインド用表示タグ（３０）が取り付けられたブラインドであって、
前記ブラインド用表示タグ（３０）はブラインドのスラット（１８）を支持するラダーテープ（１６）と共にボトムレール（２０）に取り付けられることを特徴とするブラインド。
【発明の詳細な説明】
【技術分野】
【０００１】
本発明は、ブラインドの製造者名、販売者名、商品名または商標等の商品等表示を表示するブラインド用表示タグ及びそのブラインド用表示タグを用いたブラインドに関する。
【背景技術】
【０００２】
従来、ブラインドに商品等表示を付する場合には、商品等表示が印刷されたシールを用いて、該シールをブラインドの支持用レールやボトムレール等のレール材に貼り付けることが一般的に行われている。または、成形時に商品等表示が刻印された樹脂成形品としてのレールキャップを、レール材の端部に取り付けるようにしたものも知られている。
【０００３】
ところで、近年のブラインドにおいては、高級感のある木材を使用したブラインドが好まれており、スラット部分及びボトムレールまたはスラット部分、支持用レール及びボトムレールが木製となったブラインドや、スラット部分以外の支持用レールまたはボトムレールが木製となったブラインドが多く出回るようになっている。
【０００４】
このような高級感のあるブラインドに、前記シールや樹脂製のキャップを用いて商品等表示を表示するのでは、意匠的に高級感を損なうという問題がある。
【発明の開示】
【発明が解決しようとする課題】
【０００５】
本発明が解決しようとする課題は、ブラインドの高級感を損なうことなく、意匠性に優れた商品等表示を行うことができるブラインド用表示タグ及びそのブラインド用表示タグを用いたブラインドを提供することである。
【課題を解決するための手段】
【０００６】
前述した課題を解決するために、請求項１記載の発明は、ブラインドのレール材または操作部等のブラインド部品に取り付けられて、製造者名、商品名、商標等の商品等表示を表示するブラインド用表示タグであって、商品等表示が付された１枚のシート状素材が折り返されたものからなり、折り返し側と反対側の端部が前記ブラインド部品の所望の位置に固定可能となったことを特徴とする。
【０００７】
請求項２記載の発明は、請求項１記載の前記ブラインド用表示タグが取り付けられたブラインドを特徴とする。
【０００８】
請求項３記載の発明は、製造者名、商品名、商標等の商品等表示を表示するブラインド用表示タグが取り付けられたブラインドであって、前記ブラインド用表示タグはブラインドのスラットを支持するラダーテープと共にボトムレールに取り付けられることを特徴とする。
【発明の効果】
【０００９】
本発明によれば、シート状素材を折り返して、それをブラインド部品に取り付けることにより、ブラインドの高級感を維持することができ、意匠性に優れたものとすることができる。適用するブラインドとしては、木製の部品が主体となったブラインドであると、シート状素材との違和感がなく特に好適である。
【００１０】
また、ブラインドにおいて、ブラインド用表示タグをラダーテープと共にボトムレールに取り付ける場合には、ブラインド用表示タグを取り付けるための取付工数が新たに増えることもなく、施工性を良好にすることができる。
【発明を実施するための最良の形態】
【００１１】
以下、図面を用いて本発明の実施の形態を説明する。尚、以下の実施形態は本発明を限定するものではない。
【００１２】
図１は、本発明の実施形態にかかるブラインド用表示タグが取り付けられるブラインドの正面図である。図において、ブラインド１０は、ブラケット１３，１３によって壁面、天井面等の被取付面に取り付けられるヘッドレール１２を備えており、ヘッドレール１２からは、チルトレール１４が傾斜可能に吊り下げられている。チルトレール１４からはラダーテープ１６が吊り下げられており、ラダーテープ１６によって多数のスラット材１８が上下に整列状態に支持される。ラダーテープ１６の下端はボトムレール２０に連結される。
【００１３】
また、ヘッドレール１２からは、昇降コード２２が吊り下げられており、昇降コード２２の一端側は、各スラット材１８に形成された昇降コード挿通孔１８ａを挿通して、その一端がボトムレール２０に連結される。そして、昇降コード２２の他端側は、ヘッドレール１２の上部に形成された縦溝１２ａ（図２参照）内を通り、ヘッドレール１２の一端部付近からヘッドレール１２を貫通してストッパー２３を通過して、下方へと案内され、その他端が昇降操作つまみ２４（操作部）に連結される。昇降操作つまみ２４を操作することにより、スラット材１８及びボトムレール２０を昇降させることができる。
【００１４】
また、ヘッドレール１２の一端部付近の下方には、傾斜駆動機構２６が設けられており、傾斜駆動機構２６は、プーリ２７と、プーリ２７に掛け渡された傾斜操作コード２８（操作部）と、プーリ２７の回転によりチルトレール１４を揺動させる伝達機構２９と、を有している。傾斜操作コード２８を操作することにより、スラット材１８及びボトムレール２０を傾斜させることができる。
【００１５】
ブラインド１０のヘッドレール１２、チルトレール１４、ボトムレール２０のそれぞれレール材、及びスラット材の素材は任意に選択可能であり、アルミ製、木製、布製等の任意の素材とすることができるが、この実施形態のものは木製となっており、ブラインド全体で高級感を出すようになっている。
【００１６】
このように構成されたブラインド１０において、その商品等表示を表示する表示タグ３０がボトムレール２０に取り付けられている。図３に示すように、表示タグ３０は、合成樹脂製または布製からなる軟質シート状素材であり、その軟質シート状素材表面に縫製によって商品等表示３０ａ（商標名「ＡＢＣ」）が付されている。例えば、軟質シート状素材はポリエステルシートから構成することができ、縫製はポリエステル系合成繊維によって行うことができる。商品等表示３０ａは、縫製の他、印刷、スタンプなどの方法によってシート状素材に付することができる。
【００１７】
この軟質シート状素材からなる表示タグ３０は折り返されて、その重ね合わされた２つの端部３０ｂ（取付端部という）が、ボトムレール２０に固定される。その表示タグ３０の具体的な取付方法は任意であるが、この例では、ラダーテープ１６の下端をボトムレール２０に取り付ける際にラダーテープ１６と共に取り付けることができるようになっている。即ち、ラダーテープ１６の下端は、図４に示すように、ラダーテープ１６の前側の下端と後側の下端とがボトムレール２０に互いに重ね合わされており、これらの重なり合いの中でボトムレール２０とラダーテープ１６の重なり合いの間に表示タグ３０の取付端部３０ｂが挿入されて、表示タグ３０とラダーテープ１６が一緒にボトムレール２０に太鼓鋲３２によって固定されている。
【００１８】
ここで、表示タグ３０を構成する軟質シート状素材は折り返さずに一葉形状とし、その端部を前記ラダーテープ１６と一緒にボトムレール２０に固定してもよいが、軟質シート状素材を折り返したものとすると、厚みが出て高級感を出るので、より好ましい。
【００１９】
以上の実施形態によれば、表示タグ３０は、スラット材１８が水平になっている場合やその上面が正面側に向くように傾斜された場合には、ボトムレール２０の裏面にあるために視認できずに、目立たないが、スラット材１８の下面が表面側に向くようにスラット材１８が回転された場合には、同様にボトムレール２０の下面が正面側を向くために、表示タグ３０が視認可能となる。このときに、例えば、ボトムレール２０やラダーテープ１６が木製や布製であるのに対して、シールなどで商品等表示を表示すると、違和感がありユーザーに安っぽい印象を与えてしまうが、この実施形態のように軟質シート状素材からなる表示タグ３０で商品等表示を表示すると、木製のボトムレール２０や布製のラダーテープ１６と調和し、本来のブラインド１０の高級感を維持することができる。こうして、意匠性に非常に優れたものとなる。
【００２０】
また、表示タグ３０の取付端部３０ｂのボトムレール２０への固定を、ラダーテープ１６の端部のボトムレール２０への固定と一緒にできるので、取付工数が増加することもなく、施工性を良好にすることができる。
【００２１】
但し、表示タグ３０の取付はボトムレール２０のみならず、任意のブラインドを構成するブラインド部品に対して行うことが可能である。例えば、ラダーテープ１６に取り付けたり、操作部、チルトレール１４またはヘッドレール１２等の他のレール材に取り付けることもできる。
【図面の簡単な説明】
【００２２】
【図１】本発明の第１の実施形態にかかるブラインドの正面図である。
【図２】図１の２−２線に沿って見た断面図である。
【図３】(ａ)はブラインド用表示タグの展開図、（ｂ）は折り返した状態の斜視図である。
【図４】ブラインド用表示タグの取付状態を表す拡大分解図であり、ボトムレールの裏面側から見た図である。
【符号の説明】
【００２３】
１０  ブラインド
２０  ボトムレール（ブラインド部品）
３０  表示タグ
３０ａ  商品等表示
３０ｂ  取付端部
【図１】
2005156689.tif 000003
【図２】
2005156689.tif 000004
【図３】
2005156689.tif 000005
【図４】
2005156689.tif 000006